(57)【要約】  廃棄物移送システム等の空気圧式材料移送システムの移送パイプを清掃し、及び／又は配管内にある材料を移送する方法であって、本方法において、少なくとも１つの清掃手段１が移送パイプ内に送り込まれ、差圧がパイプ内で達成され、差圧の影響下で、清掃手段は、パイプを清掃し、及び／又は清掃を意図されている移送パイプセクション内の材料を移送するために移動させられる方法。本方法において、清掃手段１又は複数の清掃手段１、１’の組合せ体を移送配管１００、１０１内に移動させ、移送配管内での清掃手段１又は複数の清掃手段１、１’の組合せ体の移動を制限又はガイドする伝動手段２に清掃手段１又は複数の清掃手段１、１’の組合せ体を接続させる。本発明の目的はまた、清掃装置及び清掃システムである。【選択図】図１
2015518783.tif 000002
【特許請求の範囲】
【請求項１】
廃棄物移送システム等の空気圧式材料移送システムの移送パイプを清掃し、及び／又は配管内にある材料を移送する方法であって、その方法において、少なくとも１つの清掃手段（１）が移送パイプ内に送り込まれ、差圧が前記パイプ内で達成され、前記差圧の影響下で、前記清掃手段は、前記パイプを清掃するよう、及び／又は清掃を意図されている移送パイプセクション内の材料を移送するよう移動させられ、前記方法において、清掃手段（１）又は複数の清掃手段（１、１’）の組合せ体を移送配管（１００、１０１）内で移動させ、前記移送配管内での前記清掃手段（１）又は複数の清掃手段（１、１’）の組合せ体の移動を制限又はガイドする伝動手段（２）に前記清掃手段（１）又は複数の清掃手段（１、１’）の組合せ体を接続させ、補充空気ダクト（１６）が、前記清掃手段（１）内に第１の側から第２の側にかけて貫設されており、前記ダクトを通って補充空気が前記移送配管内に導かれることを特徴とする方法。
【請求項２】
請求項１に記載の方法であって、前記伝動手段（２）は、少なくとも１つのリール（３）と前記リール（３）の駆動機構（４）とを含む移動機構（３、４）に配設されていることを特徴とする方法。
【請求項３】
請求項１又は２に記載の方法であって、前記伝動手段（２）は、リール（３）に巻取られ及び前記リール（３）から繰出しされる、ワイヤ、ライン、ケーブル又は同等物のような伝動手段であることを特徴とする方法。
【請求項４】
請求項１から３のいずれか一項に記載の方法であって、前記清掃手段（１）又は複数の清掃手段（１、１’）の組合せ体の移動速さは、例えばブレーキ機構（５）により緩められることを特徴とする方法。
【請求項５】
請求項１から４のいずれか一項に記載の方法であって、前記清掃手段（１）又は複数の清掃手段（１、１’）の組合せ体を、移動機構（３、４）を用いて前記伝動手段（２）により単独で、又は負圧及び／又は正圧と一緒に引っ張ることによって前記配管内で移動させることを特徴とする方法。
【請求項６】
請求項１から５のいずれか一項に記載の方法であって、前記清掃手段（１）又は複数の清掃手段（１、１’）の組合せ体を、開始位置から所望の距離だけ第１の方向に、次に、前記開始位置に戻る第２の方向に又は少なくとも前記開始位置の方向に前記移送配管（１００、１０１）内で移動させることを特徴とする方法。
【請求項７】
請求項１から６のいずれか一項に記載の方法であって、前記移送配管（１００、１０１）内での前記清掃手段（１）の清掃距離は、前記伝動手段（２）に作用するブレーキ機構（５）によって、又は前記リール（３）からの前記伝動手段（２）の巻出しを制限することによって制限されることを特徴とする方法。
【請求項８】
請求項１から７のいずれか一項に記載の方法であって、前記移送配管内での前記清掃手段（１）の前記移動は、前記清掃手段が開始位置から離れるように移動する際、前記清掃手段の前記開始位置の前記パイプセクション（１０１）内の、そのパイプセクション（１０１）の突き当て端部分（７）と前記清掃手段（１）との間のスペースに補充空気を取り込むことによって、又は、前記清掃手段が前記開始位置に向かって移動する際、最も適切な補充空気ダクト（１０２）を介して前記スペースから空気を除去することによって容易になることを特徴とする方法。
【請求項９】
請求項１から８のいずれか一項に記載の方法であって、前記清掃手段（１）の前記移動は、前記清掃手段の開始位置の前記パイプセクション（１０１）内の、前記パイプセクション（１０１）の突き当て端部分（７）と前記清掃手段（１）との間のスペースに空気をもたらすことによって、ポンプ機構（１１５）の吹込み側を前記スペースに接続することによって、又は、前記開始位置の前記パイプセクション（１０１）の、前記パイプセクション（１０１）の突き当て端部分（７）と、前記清掃手段（１）との間の前記スペースから、ポンプ機構（１１５）の吸引側を前記スペースに接続することにより空気を除去することによって容易になることを特徴とする方法。
【請求項１０】
請求項１から９のいずれか一項に記載の方法であって、前記清掃手段（１）に加え、清掃用液（ＣＬ）が前記移送パイプ内にもたらされ、前記清掃用液を前記清掃手段（１）又は前記清掃手段（１、１’）とともに前記移送配管内で移動させることを特徴とする方法。
【請求項１１】
請求項１から１０のいずれか一項に記載の方法であって、前記清掃手段（１、１’）と、前記移送パイプ（１００、１０１）の内面と前記清掃手段との間のスペース（Ｖ）内にもたらされる清掃用液（ＣＬ）とを、組合せ体として移動させることを特徴とする方法。
【請求項１２】
請求項１から１１のいずれか一項に記載の方法であって、前記方法において、発生し得るパイプ閉塞もまた前記清掃手段（１）により除去されることを特徴とする方法。
【請求項１３】
請求項１から１２のいずれか一項に記載の方法であって、前記清掃手段（１）は前記移送配管内で遮断手段として用いられることを特徴とする方法。
【請求項１４】
廃棄物移送システム等の空気圧式材料移送システムの移送パイプ（１００、１０１）用の清掃装置であって、その装置は、移送パイプ内に送り込まれる少なくとも１つの清掃手段（１）を備え、その清掃手段は、差圧の影響下で、清掃を意図されている移送パイプセクション内のパイプを清掃し、及び／又は前記パイプ内にある材料を少なくとも１つの方向に移送するために移動するように構成されており、前記清掃手段（１）は、前記清掃手段（１６）の移動を制限又はガイドするように構成されている伝動手段（２）に接続され、補充空気ダクト（１６）が、前記清掃手段（１）内に第１の側から第２の側にかけて貫設されていることを特徴とする装置。
【請求項１５】
請求項１４に記載の装置であって、前記伝動手段は、少なくとも１つのリール（３）とそのリール（３）の駆動機構（４）とを備える移動機構（３、４）に配設されていることを特徴とする装置。
【請求項１６】
請求項１４又は１５に記載の装置であって、前記伝動手段（２）は、リール（３）に巻取られ及び前記リール（３）から繰出しされる、ワイヤ、ライン、ケーブル又は同等物のような伝動手段であることを特徴とする装置。
【請求項１７】
請求項１４から１６のいずれか一項に記載の装置であって、ブレーキ機構（５）を備えることを特徴とする装置。
【請求項１８】
請求項１４から１７のいずれか一項に記載の装置であって、補充空気ダクト（１０２）であって、弁手段（１０４）が設けられているとともに、前記清掃手段（１）の開始位置の前記パイプセクション（１０１）の、そのパイプセクション（１０１）の突き当て端部分（７）と前記清掃手段（１）との間のセクションに配置されている補充空気ダクト（１０２）を備えることを特徴とする装置。
【請求項１９】
請求項１４から１８のいずれか一項に記載の装置であって、ポンプ機構（１１５）であって、そのポンプ機構（１１５）の吸引側及び／又は吹込み側が、前記清掃手段（１）の開始位置の前記パイプセクション（１０１）の、そのパイプセクション（１０１）の突き当て端部分（７）と前記清掃手段（１）との間のセクションに接続することができるポンプ機構（１１５）を備えることを特徴とする装置。
【請求項２０】
請求項１４から１９のいずれか一項に記載の装置であって、連結手段（２’）により互いに接続される複数の清掃手段（１、１’）があることを特徴とする装置。
【請求項２１】
請求項１４から２０のいずれか一項に記載の装置であって、清掃用液（ＣＬ）を、前記移送パイプ内に、好適には、前記清掃手段（１）又は複数の清掃手段（１、１’）との接続部内にもたらす手段を備えることを特徴とする装置。
【請求項２２】
請求項１４から２１のいずれか一項に記載の装置であって、前記清掃手段（１）は、前記移送配管内で遮断手段として機能するように構成されていることを特徴とする装置。
【請求項２３】
空気圧式材料移送システムであって、そのシステムは、移送配管と、その移送配管内に移送される材料を給送する手段と、前記移送配管内で差圧を達成する手段と、前記材料を搬送空気から分離する分離機構とを備え、前記システムは、複数の清掃機構であって、その清掃機構のそれぞれは、移送パイプ内に送り込まれる少なくとも１つの清掃手段（１）を備え、その清掃手段は、差圧の影響下で、清掃を意図されている移送パイプセクション内のパイプを清掃し、及び／又は前記パイプ内にある材料を少なくとも１つの方向に移送するために移動するように構成されている、複数の清掃機構を備え、前記清掃手段（１）は、前記清掃手段（１）の移動を制限又はガイドするように構成されている伝動手段（２）に接続され、複数の清掃機構の前記清掃手段（１（Ｉ）、１（ＩＩ）、１（ＩＩＩ）、１（ＩＶ））は、所望の順（Ｉ、ＩＩ、ＩＩ、ＩＶ）で移送配管（１００、１００Ａ、１００Ｂ）を清掃し、及び／又は、前記パイプセクション内に収集された材料を、前記移送配管内で進行方向に、好適には分離機構に向かって移送するように構成され、補充空気ダクト（１６）は、前記清掃手段（１）内に前記清掃手段（１）の第１の側から前記清掃手段（１）の第２の側にかけて配置されていることを特徴とする、システム。
【請求項２４】
請求項２３に記載のシステムであって、そのシステムにおいて、前記清掃手段（１（Ｉ）、１（ＩＩ）、１（ＩＩＩ）、１（ＩＶ））の変位距離は、清掃順での前の清掃セクションの前記清掃手段（１（Ｉ）、１（ＩＩ）、１（ＩＩＩ））の清掃移動、すなわち、前記移送パイプ内での変位距離が、前記清掃順での次の清掃機構（１（ＩＩ）、１（ＩＩＩ）、１（ＩＶ））の前記清掃手段の前記パイプセクション内に常に僅かに延びるように取り決められており、前記パイプセクションから前記清掃手段が進行方向に前記材料を清掃／移送することを特徴とするシステム。
【請求項２５】
請求項２３又は２４に記載のシステムであって、前記清掃装置の前記伝動手段（２）は、少なくとも１つのリール（３）とそのリール（３）の駆動機構（４）とを備える移動機構（３、４）に配設されていることを特徴とするシステム。
【請求項２６】
請求項２３から２５のいずれか一項に記載のシステムであって、前記清掃装置の前記伝動手段（２）は、リール（３）に巻き取られるとともにそのリール（３）から繰り出される、ワイヤ、ライン、ケーブル又は同等物のような伝動手段であることを特徴とするシステム。
【請求項２７】
請求項２３から２６のいずれか一項に記載のシステムであって、前記システムにおいて、前記清掃手段（１）を、移動機構（３、４）を用いて前記伝動手段（２）により単独で、又は負圧及び／又は正圧と一緒に引っ張ることによって前記配管内で戻る方向に移動させることを特徴とするシステム。
【請求項２８】
請求項２３から２７のいずれか一項に記載のシステムであって、補充空気ダクト（１０２）であって、弁手段（１０４）が設けられているとともに、前記清掃手段（１）の開始位置の前記パイプセクション（１０１）の、前記パイプセクション（１０１）の突き当て端部分（７）と前記清掃手段（１）との間のセクション内に配置されている補充空気ダクト（１０２）を前記清掃装置が備えることを特徴とするシステム。
【請求項２９】
請求項２３から２８のいずれか一項に記載のシステムであって、ポンプ機構（１１５）であって、そのポンプ機構（１１５）の吸引側及び／又は吹込み側が、前記清掃手段（１）の開始位置の前記パイプセクション（１０１）の、前記パイプセクション（１０１）の突き当て端部分（７）と前記清掃手段（１）との間のセクションに接続することができるポンプ機構（１１５）を前記清掃装置が備えることを特徴とするシステム。
【請求項３０】
請求項２３から２９のいずれか一項に記載のシステムであって、連結手段（２’）により互いに接続される複数の清掃手段（１、１’）があることを特徴とするシステム。
【請求項３１】
請求項２３から３０のいずれか一項に記載のシステムであって、清掃用液（ＣＬ）を、前記移送パイプ内に、好適には、前記清掃手段（１）又は複数の清掃手段（１、１’）との接続部内にもたらす手段を前記清掃装置が備えることを特徴とするシステム。
【請求項３２】
請求項２３から３１のいずれか一項に記載のシステムであって、前記システムにおいて、前記清掃手段（１）は前記移送配管内で遮断手段として機能するように構成されていることを特徴とするシステム。
【請求項３３】
請求項２３から３２のいずれか一項に記載のシステムであって、前記清掃手段（１）の前記移動は、前記伝動手段の動作を遅くすることによって速さを緩められることを特徴とするシステム。
【発明の詳細な説明】
【技術分野】
【０００１】
本発明は、概して、部分真空搬送システム等の材料取扱いシステムに関し、より詳細には、家庭廃棄物の移送等の廃棄物の収集と移送とに関する。本発明はより詳細には、空気圧式材料移送システム、より詳細には廃棄物移送システムの材料移送パイプの清掃に関する。
【０００２】
本発明の目的は、請求項１のプリアンブルに記載の方法である。
【０００３】
また、本発明の目的は、請求項１４のプリアンブルに記載の清掃装置である。
【０００４】
また、本発明は、請求項２３のプリアンブルに記載のシステムに関する。
【背景技術】
【０００５】
差圧又は吸引によってつくり出された空気流によって廃棄物が配管内で移送されるシステムが当該技術分野において知られている。これらのシステムにおいて、廃棄物は配管内の長距離を移送される。差圧を達成するのに部分真空装置を使用することがこれらのシステムに一般的であり、上記装置では、真空ポンプ又はエジェクター装置等の部分真空発生器によって移送パイプ内で負圧が達成される。移送パイプは通常、少なくとも１つの弁手段を備え、弁手段を開閉することによって、移送パイプ内に入る補充空気が調節される。これらのシステムでは材料の投入端における投入点が用いられ、その投入点から廃棄物等の材料がシステム内に移送される。システムはごみシュートも備えることができる。このごみシュート内に廃棄材料等の材料が給送され、排出弁手段を開くことによってこのごみシュートから移送パイプ内に、移送される材料が移送される。その場合、移送パイプ内で作用する負圧の補助により達成される吸引作用によって、また、ごみシュートを介して作用する周囲空気圧によって、例えば袋に詰められた廃棄材料等の材料がごみシュートから移送パイプ内に移送される。公開文献である特許文献１から、循環路に接続することができる移送配管を洗浄する方法及び装置が知られている。この公開文献の解決策に加え、システムにおける配管の、循環路に接続することができないセクションも、清掃せねばならない。
【先行技術文献】
【特許文献】
【０００６】
【特許文献１】国際公開第２００９／０８０８８５号
【発明の概要】
【発明が解決しようとする課題】
【０００７】
本発明の目的は、空気圧式パイプ搬送システムの移送配管の少なくとも一部を清掃するための、及び／又は配管内にある材料を移送するための全く新規のタイプの解決策を達成し、その解決策によって従来技術の解決策の欠点を回避することである。本発明の別の目的は、部分真空移送システムの移送パイプを清浄に保つのに適用可能な解決策を達成し、その解決策によって清掃の事象を向上させることができることである。本発明の更に別の目的は、移送配管の分岐パイプセクションを清掃する解決策を達成することである。
【課題を解決するための手段】
【０００８】
本発明は、移送パイプセクション内に配置された、移送パイプセクションを清掃する清掃手段が、吸引、吹込み及び／又は差圧の補助によって移送パイプ内で少なくとも第１の方向に移動し、移動距離が、リールに接続されるワイヤ手段、ケーブル手段又はライン手段等の、清掃手段に接続される伝動手段によって、制限又はガイドされるという概念に基づく。
【０００９】
本発明による方法は主として、請求項１の特徴部に記載されているものによって特徴付けられる。
【００１０】
また、本発明による方法は、請求項２から１３に記載されているものによって特徴付けられる。
【００１１】
本発明による清掃装置は主として、請求項１４の特徴部に記載されているものによって特徴付けられる。
【００１２】
また、本発明による装置は、請求項１５から２２に記載されているものによって特徴付けられる。
【００１３】
本発明によるシステムは、請求項２３に記載されているものによって特徴付けられる。
【００１４】
また、本発明によるシステムは、請求項２４から３３に記載されているものによって特徴付けられる。
【００１５】
本発明による解決策は多数の重要な利点を有する。本発明による解決策により、移送配管の分岐セクションを清掃することができる。本発明による解決策により、清掃手段がその開始位置に戻る。ワイヤ、ライン、ケーブル又は同等物等の伝動手段であって、清掃手段に接続されるようにリールに配設される伝動手段を用いることによって、パイプセクションを清掃するとともに処理中の材料をパイプセクションから移送するのに有効かつ動作上確実な解決策が達成される。主として吸引、吹込み及び／又は差圧の補助によって清掃手段を第１の方向に移動させると、清掃手段は伝動手段に接続した状態に保たれ、その場合、必要であれば、配管内での清掃手段の移動距離を制限することができる。清掃手段の移動速さは、必要であれば、伝動手段により低下することができる。ブレーキ機構を用いることによって、伝動手段の巻出しの速さを低下することができる。したがって、伝動手段の補助によって、清掃手段の移動距離を制限することができ、清掃手段の復帰移動を、第２の方向に、好適には開始位置に戻るように、部分的に又は完全に達成することができる。伝動手段により、清掃手段の移動を、所望の方向に、例えば配管のＹ分岐内に進ませるようにガイドすることもできる。パイプセクション内で吹込み又は吸引を行うように接続されているポンプ装置を更に用いることによって、清掃手段の移動を促進させることができる。したがって、清掃手段を、例えば、部分真空発生器の吸引を用いることによって第１の方向に、また、吹込みにより逆に、有効に移動させることができ、代替的には、単独で又は吹込みに加えて伝動手段によって引き戻すことができる。清掃手段と併せて清掃用液をパイプセクション内に導くことによって、清掃を更に高めることができる。ともに接続される清掃手段を用いることによって、清掃を更に高めることができ、清掃用液用のスペースを得ることができる。清掃手段と清掃用液スペースとの組合せ体を、パイプセクションを清掃するように効果的に移動させることができる。物質移送システムの移送配管において本発明による複数の機構を接続することによって、システムのパイプセクションを清掃することができ、所望の順、より詳細にはプログラムされた順で、物質を分離機構に向けて移送することができる。清掃手段は、移送配管内で遮断手段として用いることができる。内部に一部として補充空気ダクトがある清掃手段を用いることによって、清掃手段を通して移送配管内に補充空気を導くことができる。本発明による解決策は、材料移送システム、より詳細には廃棄物用の移送システムにおいて用いることができる。本発明による解決策は、食品産業の食品廃棄物用の移送システムにも適している。本発明による解決策により、移送される種々の多様な材料の移送とともに又はそれらの移送の後で配管が清掃されるので分別成果が向上する。この場合、種々の延長部に合わせて優れた清掃を達成することができる。本発明による解決策によって、搬送される材料と清掃される移送パイプの壁との間の摩擦が低いままとなるため、エネルギーを節約することができる。本発明による解決策により、材料パイプ搬送システムの衛生上の問題及び臭気上の問題が改善される。本発明による解決策は、移送配管の非常に広範のサイズ範囲、通常は５０ｍｍから５００ｍｍのパイプ直径での使用に適している。
【００１６】
以下、本発明を、添付の図面を参照しながら一実施形態によってより詳細に説明する。
【図面の簡単な説明】
【００１７】
【図１】本発明による解決策の一実施形態の簡略図である。
【図２】第２の段階における本発明による解決策の一実施形態の簡略図である。
【図３ａ】本発明の一実施形態の清掃手段の断面図である。
【図３ｂ】端面から見た場合の本発明の一実施形態の第２の清掃手段を示す図である。
【図３ｃ】断面にした場合の図３ｂの清掃手段を示す図である。
【図３ｄ】本発明の一実施形態による１つの清掃手段を示す図である。
【図３ｅ】本発明の一実施形態による１つの清掃手段を更に示す図である。
【図４】本発明による解決策の一実施形態の図である。
【図５】本発明による解決策の一実施形態の図である。
【図６】本発明による解決策の一実施形態の図である。
【図７】第２の段階における本発明による解決策の一実施形態の図である。
【図８】第１の段階における本発明による解決策の一実施形態の図である。
【図９】第２の段階における本発明による解決策の一実施形態の図である。
【図１０】第３の段階における本発明による解決策の一実施形態の図である。
【図１１】本発明によるシステムの１つの実施形態を示す図である。
【図１２】本発明による解決策の別の実施形態の図である。
【図１３】種々の段階のうちの１つにおける本発明による解決策の一実施形態の動作を示す図である。
【図１４】種々の段階のうちの１つにおける本発明による解決策の一実施形態の動作を示す図である。
【図１５】種々の段階のうちの１つにおける本発明による解決策の一実施形態の動作を示す図である。
【図１６】種々の段階のうちの１つにおける本発明による解決策の一実施形態の動作を示す図である。
【図１７】種々の段階のうちの１つにおける本発明による解決策の一実施形態の動作を示す図である。
【図１８】種々の段階のうちの１つにおける本発明による解決策の一実施形態の動作を示す図である。
【図１９】種々の段階のうちの１つにおける本発明による解決策の一実施形態の動作を示す図である。
【発明を実施するための形態】
【００１８】
図１及び図２は本発明による解決策の１つの簡略化された実施形態を示す。これらの図は、空気圧式材料移送システムの移送パイプ１００の一部と、投入パイプ１０３によって移送パイプ１００に接続されている投入点６０とを示す。投入パイプ１０３と移送パイプ１００との間に弁手段１０５が配置されている。投入点６０は、送込み容器６１、場合によっては例えば回転成形機である材料成形機６２も備える。家庭廃棄物、廃紙、段ボール又は他の廃棄物等の材料が、例えば、投入点の送込み容器６１内に給送され、随時、そこから進んで移送配管１００内に導かれる。取り扱われる材料は、材料成形機６２内で成形されてコンパクトにされ、取扱い後、例えば空気圧式パイプ搬送システムの駆動機構（不図示）によって生成される吸引及び／又は差圧によって、投入パイプ１０３を介して移送配管１００内に導かれる。
【００１９】
パイプ部分１０１が移送配管１００とつながって配置されており、このパイプ部分に関連されて清掃装置１、２、３、４、５が配置されている。清掃装置は清掃手段１を含み、図では、清掃手段１は、図の実施形態では移送配管の移送パイプセクション１００の延長部であるパイプ部分１０１に配置されている。
【００２０】
清掃手段１は、その形状に関して、パイプの内面の断面形状に従って、清掃手段１の外壁がパイプセクションの内面に置かれるように構成されている。清掃手段１の１つの実施形態がより詳細に図３ａに示されている。清掃手段１は、実際の清掃手段部分１０と、その支持部分１１、１２、１３、１４とを備える。図３ａの実施形態では、清掃手段の支持部分は、第１の突き当て端部分１１と、第２の突き当て端部分１２と、また、第１の突き当て端部分と第２の突き当て端部分とをつなぐ連結部分１３とを備える。連結部分１３は清掃手段部分１０を貫通している。連結部分１３は可撓性であることが好ましく、その場合、この連結部分１３により曲管を移動することができる。１つの実施形態によれば、清掃手段部分１０は可撓性材料からなる。清掃部分１０は通常、交換可能な部品である。第１の突き当て端部分１１は、ナット等の固定手段により固定部分に固定される。第１の突き当て端部分１１側の連結部分１３の少なくとも端部にねじ山（不図示）が形成されており、これらのねじ山にナット１４の対応するねじ山が嵌合する。移動機構の伝動手段２、例えばワイヤ、ライン、ケーブル又は同等の伝動手段用の固定点１５が、突き当て端部分の少なくとも１つに配置されている。図３ａの実施形態では固定点１５はフックである。
【００２１】
図３ｂ及び図３ｃは本発明の清掃手段の第２の実施形態を示し、この実施形態では、少なくとも１つの孔、より詳細には補充空気ダクト１６が清掃手段１を貫通している。図には複数の補充空気ダクト１６がある。図の清掃手段の実施形態では４つの補充空気ダクト１６がある。図３ｃの実施形態は、例えば、パイプの表面上にある材料を引き離すのに用いることができる。この場合、清掃手段１の第１の側から第２の側へダクト１６に沿って清掃手段１を補充空気が通過することができる。清掃手段によってパイプの壁から引き離される可能性のある材料又はパイプ内の他の材料は、例えば、部分真空発生器がつくり出す吸引又は搬送空気流によって配管内で進行方向に移動される。図３ｄは、逆止弁２０が補充空気ダクト１６内に配置されている、清掃手段の一実施形態を示し、その場合、補充空気は一方向にのみダクトを通過することができる。逆止弁２０は、例えばゴムフラップとすることができる。
【００２２】
図３ｅは本発明の清掃手段１の更に別の実施形態を示し、この実施形態では、清掃手段は複数の清掃構成要素１７を備え、清掃構成要素１７の壁１８、１９は、図３ｅでは直交方向からアルファ（α）の角度で前方に傾斜している。この場合、清掃構成要素が傾斜している方向に（図３ｅでは左に）清掃手段を移動させると、その場合、清掃構成要素はパイプの内面を効果的に擦り、清掃手段が後方に（図３ｅでは右に）変位すると、清掃構成要素は内方に曲がることで移動しやすくなる。
【００２３】
清掃装置は清掃手段１用の移動装置を備え、この移動装置は、図１の実施形態では、駆動機構４によりリール軸の回りに回転することができるリール３に巻き取られる伝動手段２を備える。したがって、ワイヤ、ライン、ケーブル等のような伝動手段２は、清掃手段１がリールから離れる方向に、例えば図１の位置から図２の位置に、移送配管内で移動する際、リール３から繰り出すことができる。この場合、リール３は第１の方向にリール軸の回りに回転する。リールは例えば、例えば１００から２００ｍの例えば１ｍｍケーブルがリールに収まるようなものとすることができる。このタイプのリールの例の１つは例えば、大きな釣竿用リールである。リール３の駆動機構４は例えば、手動式、電動式、空気圧作動式又は油圧作動式とすることができる。移送パイプ１００内での清掃手段１の移動は、ブレーキ機構５により速さを緩めることができる。ブレーキ機構は、リール内／リール上又は駆動機構４内にあることができることが好ましい。図の実施形態では、明確にするため、ブレーキ機構５は伝動手段２に作用するように表されている。図では、ブレーキ機構５はリール３とパイプセクション１０１の端との間に配置されている。孔７がパイプセクション１０１の突き当て端の壁７に形成されており、この孔を通って伝動手段２がパイプ部分１０１に至る。清掃手段１が、第１の位置すなわち開始位置（図２の位置へ向けての図１の位置）から離れる際、ブレーキ機構５は清掃手段１の速さを低下することが好ましい。この場合、清掃手段が部分真空発生器の吸引によってつくり出される搬送空気流とともに自由に移動することが可能となる状況と比べ、清掃成果が向上する。伝動手段２の動作の長さにより、移送配管内での清掃手段１の移動距離を制限することができる。清掃手段の移動距離、すなわち清掃セクションを通過し終わると、リール３が駆動機構４によりリール軸の回りに回転する。その場合、伝動手段２がリール３に巻き取られる際、清掃手段１がその開始位置（すなわち図１の位置）に向かって伝動手段２とともに後方に引っ張られる。後方移動は、単に移送システムの部分真空発生器若しくはファンがつくり出す差圧（吹込み等）により、又は移動機構３、４と併せて行うこともできる。この場合、伝動手段２は、パイプセクションから出てリール３により巻き取られる。
【００２４】
図１及び図２では、パイプセクション１０１の突き当て端エリアの、パイプセクション１０１の突き当て端７と清掃手段１の開始位置（図１）との間のスペースに補充空気ダクト１０２が更に配置されている。弁手段１０４が補充空気ダクト１０２にある。清掃手段１が配管内で移動する場合、補充空気ダクトの補充空気弁１０４は開いている。
【００２５】
図４及び図５は、パイプセクションの突き当て端エリアの、清掃手段１とパイプセクションの突き当て端７との間のスペースに、正圧又は負圧をつくり出すポンプ装置が配置されている一実施形態を示す。これにより、配管内での清掃手段１の移動が促進される。図４の状況では、清掃手段１を開始位置から離れるように移動させようとしている。移動方向は矢印によって図に表されている。リール３の回転方向も矢印によって図に表されている。この状況では、駆動機構１１６により駆動されるポンプ機構１１５が、ダクト１１３、１１６に沿って吹込みを行うように圧力側すなわち吹込み側からパイプセクション１０１の突き当て端７と清掃手段１との間のスペースに接続されている。ダクト１１３における弁手段１１４はこの場合では開いている。ポンプ１１５の吸引側は、吸気ダクト１１７に接続されており、この吸気ダクトの弁１１８は開いている。図４によって示されている方法でポンプ１１５の吹込み側が接続されると、清掃手段１を開始位置から離すことが達成されるか又は少なくとも促進される。
【００２６】
図５の状況では、清掃手段を開始位置に向けて移動させようとしている。移動方向は矢印によって図５に表されている。リール３の回転方向も矢印によって図に表されている。この状況では、駆動機構１１６により駆動されるポンプ機構１１５は、吸引側からダクト１１１、１１６に沿ってパイプセクション１０１の突き当て端７と清掃手段１との間のスペースに接続されている。ダクト１１１における弁１１２はこの場合では開いている。ダクト１１７の弁は閉じている。これに対応して、ダクト１１３の弁１１４は閉じている。ポンプの吹込み側は、排出ダクト１１９に吹込みを行うように接続されており、排出ダクトの弁１２０は開いている。ポンプ機構１１５により達成される吸引により、開始位置へ向かう清掃手段１の移動が達成されるか又は少なくとも促進される。
【００２７】
図６及び図７は、パイプセクション１０１が、移送パイプ１００と或る角度を形成する、移送配管１００のＹ分岐である一実施形態を示す。移送パイプセクション１００を清掃することが望まれる場合、空気圧式移送システムの部分真空発生器（不図示）の吸引側が移送パイプ１００に接続され、その場合、補充空気ダクト１０２における補充空気弁１０４を開くと、清掃手段が図６の位置から図７の状況へと移り、場合によっては、配管内に更に進む。伝動手段２（例えばライン、ワイヤ又はケーブル）は、例えばその長さに応じて、清掃手段の移動を制限する。所望の清掃移動がもたらされると、清掃手段は伝動手段２とともに巻き上げられて開始位置（図６）に戻る。したがって、ここでは、パイプセクション１００の空気流により清掃手段が分岐を通り過ぎる可能性もあるにもかかわらず、伝動手段２により清掃手段をパイプセクション１０１の適正な分岐内にガイドすることができる。
【００２８】
図８、図９及び図１０は、清掃手段に加え、清掃用液ＣＬが用いられる一実施形態を示す。これらの図の実施形態では、２つの清掃手段１、１’があり、これらの清掃手段１、１’は清掃移動方向に互いから或る距離のところに配置されている。第１の清掃手段１及び第２の清掃手段１’は、連結手段２’により互いにつながっている。連結手段２’は例えば、ワイヤ、ライン、ケーブル又はロッドである。第１の清掃手段１と第２の清掃手段１’との間にスペースＶが形成されており、このスペースＶは、第１の清掃手段１の突き当て端と、第２の清掃手段１’の突き当て端と、その時点でスペースＶの地点にある、配管１００、１０１の内壁とによって境界が定められている。清掃手段１、１’に加え、清掃用液ＣＬを用いることが望まれる場合、弁１０７を開くことによって、清掃用液槽１０８から清掃用液用の投入分岐カップリング１０６に沿ってスペースＶ内に清掃用液が導かれる。清掃用液用の投入分岐カップリング１０６は、パイプセクション１０１の、第１の清掃手段１と第２の清掃手段１’との間のスペースＶが清掃手段１、１’の開始位置に位置する地点に構成されていることが好ましい。図９は、清掃用液ＣＬがスペースＶ内に導かれている状況を示す。この後、清掃手段１、１’とスペースＶ内の清掃用液ＣＬとを組合せ体として、例えば図１及び図２における個々の清掃手段に関して先に示したものと同等の方法で移動させることができる。清掃用液ＣＬは、例えば消毒清掃用液とすることができる。当然のことながら、清掃用液用のスペースは清掃手段内に配置することもできる。
【００２９】
図１１は、材料移送システム、より詳細には空気圧式廃棄物移送システムの材料移送配管に接続されている場合の、本発明の一実施形態によるシステムの一部を更に示しており、この図は移送配管１００、１００Ａ、１００Ｂの一部を示す。本発明の一実施形態による複数の清掃機構が移送配管内に配置されており、これらの清掃機構は、清掃手段１と、清掃手段１に接続されてリール３に巻き取られるワイヤ、ライン、ケーブル又は同等手段である伝動手段２と、リールの駆動機構４とを備える。このシステムにおいて、材料移送システムの移送配管１００、１００Ａ、１００Ｂのパイプセクションは、或る特定の順、図１１では番号順（Ｉ、ＩＩ、ＩＩＩ、ＩＶ）で清掃手段１（Ｉ）、１（ＩＩ）、１（ＩＩＩ）、１（ＩＶ）により清掃／払拭される。このシステムにおいて、清掃手段１（Ｉ）、１（ＩＩ）、１（ＩＩＩ）、１（ＩＶ）の変位距離は、清掃順（各清掃装置の清掃順にはローマ数字Ｉ、ＩＩ、ＩＩ、ＩＶが付されている）での前の清掃セクションの清掃手段１（Ｉ）、１（ＩＩ）、１（ＩＩＩ）の清掃移動距離、すなわち、移送パイプ内での変位距離が、清掃順での次の清掃機構１（ＩＩ）、１（ＩＩＩ）、１（ＩＶ）の清掃手段のパイプセクション内に常に僅かに延びるように取り決められており、そのパイプセクションから清掃手段が進行方向に材料を清掃／移送する。この場合、移送方向に、清掃手段１（Ｉ）、１（ＩＩ）、１（ＩＩＩ）、１（ＩＶ）の前方へそれらの清掃手段とともに移送される、パイプセクション内の材料、清掃廃液又は他の材料が、パイプセクション（Ｉ、ＩＩ、ＩＩ、ＩＶ）から常に清掃順での次の清掃機構の清掃手段のパイプセクションに進行方向に移送される。清掃手段１（Ｉ）、１（ＩＩ）、１（ＩＩＩ）、１（ＩＶ）の変位距離は、清掃手段１（Ｉ）、１（ＩＩ）、１（ＩＩＩ）、１（ＩＶ）に接続されている伝動手段２により制限される。伝動手段２はその第２の端がリール３上に配設されており、リール３は必要であれば駆動機構４により駆動される。図１１では、パイプセクション１００Ａが最初（Ｉ）に、パイプセクション１０１にある開始位置から、この図の主移送パイプ１００まで延在する変位距離、すなわち清掃移動距離だけ、清掃手段１（Ｉ）を変位させることによって、清掃／払拭される。図では、清掃手段１（Ｉ）は、一部が主移送パイプの側にある位置で示されている。次に、清掃手段１（Ｉ）は変位して第１のパイプセクション１００Ａに戻ることができると同時に、順が２番目（ＩＩ）であることを意図されているパイプセクションの清掃手段１（ＩＩ）が、この第２の清掃手段により第２のパイプセクションの材料を清掃／払拭するように既に変位し始めることができ、図では、第２のパイプセクションは、パイプセクション１０１の２番目（ＩＩ）であることが意図されているパイプセクションの開始位置にある。２番目であることが意図されている清掃セクションは、例えば図では清掃方向（矢印により図に表されている）に更に進行方向に延在している。この場合、第２の清掃セクションは、例えば、３番目に払拭されることが意図されている移送パイプセクション１００Ｂが好ましくは主移送パイプを僅かに越えるように主移送パイプに接続されている地点まで、延在することができる。この後、３番目（ＩＩＩ）であることが意図されるパイプセクション１００Ｂは、その清掃手段１（ＩＩＩ）により清掃／払拭される。最後に、図１１では４番目（ＩＶ）であることが意図されているパイプセクションが清掃／払拭され、このパイプセクションは、主移送パイプ１００の、移送方向における、第４の清掃装置の清掃手段１（ＩＶ）により２番目（ＩＩ）に清掃／払拭されることが意図されているパイプセクションの延長部であり、この清掃手段は、図では、パイプセクション１０１の、４番目（ＩＶ）であることが意図されているパイプセクションの開始位置にある。このように、システムにおける移送配管又は移送配管の所望のセクションが、続けざまに１つのパイプセクションを清掃／払拭させられる。
【００３０】
図における清掃手段１（Ｉ）、１（ＩＩ）、１（ＩＩＩ）、１（ＩＶ）は、栓状であり、その場合、配管１００、１００Ａ、１００Ｂ、１０１の遮断手段として用いることもできる。この場合、清掃手段は、遮断弁として配管内で機能することができ、場合によっては、その遮断弁を空気圧式材料移送システムの配管の遮断弁のうちの少なくとも幾つかの代わりに配管内で用いることができる。
【００３１】
図１２は、材料投入点に関連した、本発明の一実施形態による解決策の動作を更に示す。図には、払拭されて投入パイプ１０３を介して移送配管１００に入ることが望まれる材料Ｗ、より詳細には廃棄材料が、材料投入点６０の送込み容器内にある状況が示されている。材料を投入パイプ内に移送する前に、材料をコンパクトにして配管１０３、１００により良く適するように成形する材料の回転成形機６２、すなわちフォーマッターの中に材料は導かれる。清掃手段１の開始位置を含むパイプセクション１０１が、パイプセクション１０１につながっている移送パイプ１００に関連して配置されている。移送パイプセクション１０１は、必要であれば清掃手段１を移送配管内に導くことができるように主移送パイプ１００に対して或る角度にある。図の実施形態では、図３ｂ及び図３ｃに示されているように補充空気ダクト１６が清掃手段１を貫通している。装置は、リール３に巻き取るのに適したワイヤ、ライン、ケーブル又は他の伝動手段等の伝動手段２を備える。図には、リールとその駆動機構とを備える、既に上記で示した移動装置もある。ブレーキ５もまた、図に別個に示されている。移送パイプセクションは、補充空気ダクト１０２とそこにおける補充空気弁とを備える。移送パイプ１００は、清掃手段の開始位置のパイプセクション１０１の交点を（図では右に）越えて延在している。図では、第２の補充空気ダクト１２２が接続されているとともにそこにおける第２の補充空気弁１２４が接続されている収束部分１２５が、移送パイプ１００におけるこのセクション内の突き当て端エリアに形成されている。この実施形態の動作は、より詳細に図１３から図１９に示される。
【００３２】
図１３から図１９は、動作を本発明の１つの実施形態のその種々の段階で示す。図１３は、移送配管１００を進行方向に移送されることが意図されている材料Ｗが送込み容器６１内にある開始状況を示す。清掃手段１が、パイプセクション１０１の開始位置にある。補充空気ダクト１０２、１２２の補充空気弁１０４、１２４が閉じている。
【００３３】
図１４では、材料Ｗが、投入パイプ１０３の弁１０５を開くことによって配管１００に給送されている。材料は変位して、回転成形機を通って投入配管を介して移送パイプ１００に入る。補充空気ダクト１２２の補充空気弁１２４は開いている。この場合、廃棄物は、材料用の空気圧式パイプ搬送システムの部分真空発生器がつくり出す差圧及び搬送空気流の補助によって配管内を進行方向に移送される。投入段階では、部分真空発生器がつくり出す吸引は実際の移送段階におけるよりも小さい。また、エネルギー消費もより小さい。
【００３４】
図１５では、所望の量（当該図では全て）の材料Ｗが、送込み容器６１から移送配管１００内に変位されている。ここで、清掃手段１をパイプセクション１０１にあるその開始位置から移送配管１００内に送り込むことが望まれる。第２の補充空気ダクト１２２における第２の補充空気弁１２４は閉じている。パイプセクション１０１における補充空気ダクト１０２の補充空気弁１０４は開いている。この場合、廃棄材料Ｗを移送するのに用いる補充空気が清掃手段１の補充空気ダクト１６を介して得られる。清掃手段１は、ワイヤ、ライン、ケーブル又は同等物のような伝動手段２がリール３から繰り出されると移動し始める。清掃手段１のダクト１６にわたって生じる差圧により、清掃手段１が配管内で移動する。一方で、清掃手段１のダクト１６から流れる補充空気を吹き込むことにより、場合によっては清掃手段の前方に進む材料凝集物に吹き込み、その場合、特に、閉塞形成を被りにくくなる。他方で、材料凝集物が清掃手段１の前方に形成され、ダクト１６の一部を閉鎖する場合、清掃手段１の両側の差圧が増す。これにより今度は、清掃手段の変位、したがって、配管内での材料移送能力が高められる。
【００３５】
図１６では、配管１００は清掃手段により清掃され、場合によっては、移送配管１００内の材料Ｗが進行方向に（図１６における矢印）移送される。清掃手段１がその開始位置から配管１００内に変位すると、双方の補充空気ダクトの補充空気弁は開くことができる。図１６では、双方の補充空気ダクト１０２及び１２２の弁１０４、１２４は開いている。空気圧式材料移送システムの部分真空発生器によって配管内で達成される吸引／差圧により、移送効率を高めることができる。
【００３６】
図１７は、清掃手段１が開始位置に向かって戻る復帰移動を示す。この図の場合、復帰移動に駆動機構４が用いられ、伝動手段２が、この駆動機構によって駆動されて、リール３に巻き取られる。清掃手段１が変位して開始位置に向かって戻る際、清掃手段１の復帰移動において、移送パイプ１００から分離した、或る量の、通常は比較的少量の廃棄材料Ｗｐが、移送パイプの突き当て端エリアにおいてその収束セクション１２５近くに集まる。
【００３７】
清掃手段１の復帰移動とともに収集された廃棄材料Ｗｐは、第２の補充空気ダクト１２２の補充空気弁１２４が開くと、出口端に向けての（図１８では左への）、材料移送システムの部分真空発生器の吸引により移送パイプ１００内につくり出された差圧の補助によって、移送パイプ１００内で移送することができる。
【００３８】
図１９では、動作サイクルが完了しており、給送点６０の送込み容器６１は再度、発生し得る材料を払拭されることができる。
【００３９】
したがって、本発明は、廃棄物移送システム等の空気圧式材料移送システムの移送パイプを清掃し、及び／又は配管内にある材料を移送する方法である。本方法において、少なくとも１つの清掃手段１が移送パイプ内に送り込まれ、差圧がパイプ内に達成され、差圧の影響下で、清掃手段は、パイプを清掃するよう、及び／又は清掃を意図されている移送パイプセクション内の材料を移送するよう移動させられる。本方法において、清掃手段１又は複数の清掃手段１、１’の組合せ体を移送配管１００、１０１内で移動させ、移送配管内での清掃手段１又は複数の清掃手段１、１’の組合せ体の移動を制限又はガイドする伝動手段２に清掃手段１又は複数の清掃手段１、１’の組合せ体を接続させる。
【００４０】
１つの実施形態によれば、伝動手段２は、少なくとも１つのリール３とリール３の駆動機構４とを含む移動機構３、４に配設されている。
【００４１】
１つの実施形態によれば、伝動手段２は、リール３に巻取られ及びリール３から繰出しされる、ワイヤ、ライン、ケーブル又は同等物のような伝動手段である。
【００４２】
１つの実施形態によれば、清掃手段１又は複数の清掃手段１、１’の組合せ体の移動速さは、例えばブレーキ機構５により緩められる。
【００４３】
１つの実施形態によれば、清掃手段１又は複数の清掃手段１、１’の組合せ体を、移動機構３、４を用いて伝動手段２により単独で、又は負圧及び／又は正圧と一緒に引っ張ることによって配管内で移動させることを特徴とする。
【００４４】
１つの実施形態によれば、清掃手段１又は複数の清掃手段１、１’の組合せ体を、開始位置から所望の距離だけ第１の方向に、次に、開始位置に戻る第２の方向に又は少なくとも開始位置の方向に移送配管１００、１０１内で移動させる。
【００４５】
１つの実施形態によれば、移送配管１００、１０１内での清掃手段１の清掃距離は、伝動手段２に作用するブレーキ機構５によって、又はリール３からの伝動手段２の巻出しを制限することによって制限される。
【００４６】
１つの実施形態によれば、移送配管内での清掃手段１の移動は、清掃手段が開始位置から離れるように移動する際、清掃手段の開始位置のパイプセクション１０１内の、パイプセクション１０１の突き当て端部分７と清掃手段１との間のスペースに補充空気を取り込むことによって、又は、清掃手段が開始位置に向かって移動する際、最も適切には補充空気ダクト１０２を介してそのスペースから空気を除去することによって容易になる。
【００４７】
１つの実施形態によれば、清掃手段１の移動は、清掃手段の開始位置のパイプセクション１０１内の、パイプセクション１０１の突き当て端部分７と清掃手段１との間のスペースに空気をもたらすことによって、ポンプ機構１１５の吹込み側をそのスペースに接続することによって、又は、開始位置のパイプセクション１０１の、パイプセクション１０１の突き当て端部分７と清掃手段１との間のスペースから、ポンプ機構１１５の吸引側をそのスペースに接続することにより空気を除去することによって容易になる。
【００４８】
１つの実施形態によれば、清掃手段１に加え、清掃用液ＣＬが移送パイプ内にもたらされ、清掃用液を清掃手段１又は清掃手段１、１’とともに移送配管内で移動させる。
【００４９】
１つの実施形態によれば、清掃手段１、１’と、移送パイプ１００、１０１の内面と清掃手段との間のスペースＶ内にもたらされる清掃用液ＣＬとを、組合せ体として移動させる。
【００５０】
１つの実施形態によれば、本方法において、発生し得るパイプ閉塞もまた清掃手段１により除去される。
【００５１】
１つの実施形態によれば、清掃手段１は移送配管内で遮断手段として用いられる。
【００５２】
１つの実施形態によれば、補充空気は清掃手段１の補充空気ダクト１６を通って移送配管内に導かれる。
【００５３】
本発明はまた、廃棄物移送システム等の空気圧式材料移送システムの移送パイプ１００、１０１用の清掃装置である。本装置は、移送パイプ内に送り込まれる少なくとも１つの清掃手段１を備え、清掃手段は、差圧の影響下で、清掃を意図されている移送パイプセクション内のパイプを清掃し、及び／又はパイプ内にある材料を少なくとも１つの方向に移送するために移動するように構成されている。清掃手段１は、清掃手段１の移動を制限又はガイドするように構成されている伝動手段２に接続されている。
【００５４】
１つの実施形態によれば、伝動手段は、少なくとも１つのリール３とリール３の駆動機構４とを備える移動機構３、４に配設されている。
【００５５】
１つの実施形態によれば、伝動手段２は、リール３に巻取り及びリール３から繰出しされる、ワイヤ、ライン、ケーブル又は同等物のような伝動手段である。
【００５６】
１つの実施形態によれば、本装置はブレーキ機構５を備える。
【００５７】
１つの実施形態によれば、本装置は、補充空気ダクト１０２であって、弁手段１０４が設けられているとともに、清掃手段１の開始位置のパイプセクション１０１の、パイプセクション１０１の突き当て端部分７と清掃手段１との間のセクションに配置されている補充空気ダクト１０２を備える。
【００５８】
１つの実施形態によれば、本装置は、ポンプ機構１１５であって、ポンプ機構１１５の吸引側及び／又は吹込み側が、清掃手段１の開始位置のパイプセクション１０１の、パイプセクション１０１の突き当て端部分７と清掃手段１との間のセクションに接続することができるポンプ機構１１５を備える。
【００５９】
１つの実施形態によれば、連結手段２’により互いに接続される複数の清掃手段１、１’がある。
【００６０】
１つの実施形態によれば、本装置は、清掃用液ＣＬを、移送パイプ内に、好適には、清掃手段１又は複数の清掃手段１、１’との接続部内にもたらす手段を備える。
【００６１】
１つの実施形態によれば、清掃手段１は、移送配管内で遮断手段として機能するように構成されている。
【００６２】
１つの実施形態によれば、補充空気ダクト１６が、清掃手段１内に第１の側から第２の側にかけて貫設されている。
【００６３】
本発明はまた、方法、及び、空気圧式材料移送システムである。本システムは、移送配管と、移送配管内に移送される材料を給送する手段と、移送配管内で差圧を達成する手段と、材料を搬送空気から分離する分離機構とを備える。本システムは、複数の清掃機構であって、清掃機構のそれぞれは、移送パイプ内に送り込まれる少なくとも１つの清掃手段１を備え、清掃手段は、差圧の影響下で、清掃を意図されている移送パイプセクション内のパイプを清掃し、及び／又はパイプ内にある材料を少なくとも１つの方向に移送するために移動するように構成されている、複数の清掃機構を備え、清掃手段１は、清掃手段１の移動を制限又はガイドするように構成されている伝動手段２に接続され、複数の清掃機構の清掃手段１（Ｉ）、１（ＩＩ）、１（ＩＩＩ）、１（ＩＶ）は、所望の順Ｉ、ＩＩ、ＩＩ、ＩＶで移送配管１００、１００Ａ、１００Ｂを清掃し、パイプセクション内に収集された材料を移送配管内で進行方向に、好適には分離機構に向かって移送するように構成されている。
【００６４】
１つの実施形態によれば、本システムにおいて、清掃手段１（Ｉ）、１（ＩＩ）、１（ＩＩＩ）、１（ＩＶ）の変位距離は、清掃順での前の清掃セクションの清掃手段１（Ｉ）、１（ＩＩ）、１（ＩＩＩ）の清掃移動距離、すなわち、移送パイプ内での変位距離が、清掃順での次の清掃機構１（ＩＩ）、１（ＩＩＩ）、１（ＩＶ）の清掃手段のパイプセクション内に常に僅かに延びるように取り決められており、パイプセクションから清掃手段が進行方向に材料を清掃／移送する。
【００６５】
１つの実施形態によれば、清掃装置の伝動手段２は、少なくとも１つのリール３とリール３の駆動機構４とを備える移動機構３、４に配設されている。
【００６６】
１つの実施形態によれば、清掃装置の伝動手段２は、リール３に巻取られ及びリール３から繰出しされる、ワイヤ、ライン、ケーブル又は同等物のような伝動手段である。
【００６７】
１つの実施形態によれば、清掃装置はブレーキ機構５を備える。
【００６８】
１つの実施形態によれば、清掃装置は、補充空気ダクト１０２であって、弁手段１０４が設けられているとともに、清掃手段１の開始位置のパイプセクション１０１の、パイプセクション１０１の突き当て端部分７と清掃手段１との間のセクションに配置されている補充空気ダクト１０２を備える。
【００６９】
１つの実施形態によれば、清掃装置は、ポンプ機構１１５であって、ポンプ機構１１５の吸引側及び／又は吹込み側が、清掃手段１の開始位置のパイプセクション１０１の、パイプセクション１０１の突き当て端部分７と清掃手段１との間のセクションに接続することができるポンプ機構１１５を備える。
【００７０】
１つの実施形態によれば、連結手段２’により互いに接続される複数の清掃手段１、１’がある。
【００７１】
１つの実施形態によれば、清掃装置は、清掃用液ＣＬを、移送パイプ内に、好適には、清掃手段１又は複数の清掃手段１、１’との接続部内にもたらす手段を備える。
【００７２】
１つの実施形態によれば、本システムにおいて、清掃手段１は移送配管内で遮断手段として機能するように構成されている。
【００７３】
１つの実施形態によれば、補充空気ダクト１６が清掃手段１内に第１の側から第２の側にかけて貫設されている。
【００７４】
１つの実施形態によれば、清掃手段１の移動は伝動手段の動作を遅くすることによって速さを緩められる。通常、リールからの巻出しは、ブレーキ機構５により速さを緩められる。この場合、第１の方向への清掃手段の移送速さを容易に調整することができる。これにより、場合によって清掃成果に影響を与えることができる。
【００７５】
移送配管の直径は通常、５０ｍｍから５００ｍｍの範囲にある。
【００７６】
本発明による清掃装置はまた、清掃に加えて又は清掃の代わりに、配管内で生じる起こり得る閉塞を排除及び除去するのに用いることができる。
【００７７】
本発明の実施形態では、伝動手段により、清掃手段が空気流とともに配管内に脱することが防止されると同時に、必要であれば移動速さを低下することができる。清掃手段は、吸引により外方に、圧力により内方に変位することができ、代替的には、伝動手段により内側に引っ張ることができる。伝動手段が移動機構により引っ張られ、配管内の圧力により清掃手段が内側に押されることも意図することができる。ケーブルは、特にＹ分岐におけるガイドとして機能し、他の場合では直進する。
【００７８】
清掃手段は例えば、円筒形又は球形であるものとすることができるか、又は何らかの他の適した形状を有することができる。清掃手段は、配管の内壁に対して十分により密接していると同時に、壁に蓄積している可能性のあるいかなる材料も壁から引き離すことによって清掃する。
【００７９】
通常、材料移送システムの配管内に移送される材料は、袋にまとめられた廃棄材料、例えば家庭廃棄物又は分別された材料等の廃棄材料である。材料は、移送配管に沿って排出端に導かれ、そこで分離機構により搬送空気から分離され、廃棄物容器、搬送容器又は同等物内に移送される。
【００８０】
本発明は上記に示した実施形態に限定されず、本発明は添付の特許請求の範囲の範囲内で変更することができることは、当業者には明らかである。上記記載において他の特徴と関連して示された可能性のある特徴は、必要な場合、互いと別々に用いることができる。
【図１】
2015518783.tif 000003
【図２】
2015518783.tif 000004
【図３ａ】
2015518783.tif 000005
【図３ｂ】
2015518783.tif 000006
【図３ｃ】
2015518783.tif 000007
【図３ｄ】
2015518783.tif 000008
【図３ｅ】
2015518783.tif 000009
【図４】
2015518783.tif 000010
【図５】
2015518783.tif 000011
【図６】
2015518783.tif 000012
【図７】
2015518783.tif 000013
【図８】
2015518783.tif 000014
【図９】
2015518783.tif 000015
【図１０】
2015518783.tif 000016
【図１１】
2015518783.tif 000017
【図１２】
2015518783.tif 000018
【図１３】
2015518783.tif 000019
【図１４】
2015518783.tif 000020
【図１５】
2015518783.tif 000021
【図１６】
2015518783.tif 000022
【図１７】
2015518783.tif 000023
【図１８】
2015518783.tif 000024
【図１９】
2015518783.tif 000025
【国際調査報告】
2015518783.tif 000026
2015518783.tif 000027
2015518783.tif 000028
2015518783.tif 000029
2015518783.tif 000030